(57)【要約】【課題】便座温度や洗浄水温度、洗浄水流量、ノズル位置、温風温度などの調整操作を容易に行なえるようにして、使い勝手の良いトイレ装置を提供する。【解決手段】使用者は操作手段９により便座制御手段３の出力を調節し、その調節量は衣類識別手段１６による衣類情報と関連付けられて衣類別操作記憶手段１９に記憶されている。次に使用するときには、衣類識別手段１６が使用者の衣類情報を検出し、その衣類情報に関連付けて記憶されている衣類別操作記憶手段１９の記憶内容に基づいて衣類別調節手段２０が便座制御手段３の出力を調節する。それにより使用者が便座制御手段３の出力を調節したときと同じ衣類を着用して次に使用するときには、手動操作を何もしなくても前回調節した出力と同じ出力を再現できる。したがって使用者の操作の煩わしさを解消することができ、大幅に使い勝手を向上できる。【選択図】図１
2006132126.tif 000002
【特許請求の範囲】
【請求項１】
便器に設けられた便座本体と、前記便座本体に設けられた各種機能部品を制御する便座制御手段と、使用者の衣類情報を検出し前記使用者の衣類を識別する衣類識別手段と、前記便座制御手段が出力する制御量を前記使用者が手動で調節できる操作手段と、前記衣類識別手段および前記操作手段からの出力を関連付けて記憶する衣類別操作記憶手段と、前記衣類識別手段および前記衣類別操作記憶手段に基づき前記便座制御手段が出力する制御量を調節する衣類別調節手段とを備えたトイレ装置。
【請求項２】
衣類は衣類の情報を記録した非接触ＩＣタグを備え、衣類識別手段は前記非接触ＩＣタグの情報を読み取ることにより衣類を識別する請求項１に記載のトイレ装置。
【請求項３】
非接触ＩＣタグは衣類の情報として少なくとも男女の区別を記録し、衣類識別手段は衣類の男女の区別を識別する請求項２に記載のトイレ装置。
【請求項４】
非接触ＩＣタグは衣類の情報として少なくとも大きさの情報を記録し、衣類識別手段は衣類の大きさを識別する請求項２に記載のトイレ装置。
【請求項５】
衣類別操作記憶手段は便座本体の温度操作を記憶し、衣類別調節手段は便座本体の温度を調節する請求項１に記載のトイレ装置。
【請求項６】
衣類別操作記憶手段は洗浄水の温度操作を記憶し、衣類別調節手段は洗浄水の温度を調節する請求項１に記載のトイレ装置。
【請求項７】
衣類別操作記憶手段は洗浄水の流量操作を記憶し、衣類別調節手段は洗浄水の流量を調節する請求項１に記載のトイレ装置。
【請求項８】
衣類別操作記憶手段は洗浄位置の操作を記憶し、衣類別調節手段は洗浄位置を調節する請求項１に記載のトイレ装置。
【請求項９】
衣類別操作記憶手段は洗浄後の乾燥風の温度操作を記憶し、衣類別調節手段は乾燥風の温度を調節する請求項１に記載のトイレ装置。
【請求項１０】
衣類別操作記憶手段は便座本体の使用位置を記憶し、衣類別調節手段は便座本体の使用位置を調節する請求項１に記載のトイレ装置。
【発明の詳細な説明】
【技術分野】
【０００１】
本発明は便座の暖房や肛門などの洗浄、乾燥などの機能を備えたトイレ装置に関するものであり、特に使用者の好みに合わせて設定する調整操作を容易にするものである。
【背景技術】
【０００２】
従来、便座の暖房や肛門などの洗浄、乾燥などの機能を備えたトイレ装置があり、使用者の操作により、便座の暖房設定温度や洗浄水の温度、流量、洗浄水を吐出するノズル位置、乾燥のための温風温度などを設定することができる。
【０００３】
この便座温度や洗浄水温度、洗浄水流量、ノズル位置、温風温度などは毎回使用するたびに予め定めた初期値から設定するか、あるいは前回の設定値を記憶していて前回の設定値を初期値として設定変更するか、一般にはそのどちらかである。
【０００４】
前回の設定値を初期値として設定変更するのであれば、同じ使用者が続けて使用するのであれば、ほとんど設定操作をする必要がなく使い勝手が良いのであるが、例えば、家庭用のトイレ装置であれば、家族の複数の人が使用する。そして、使用者ごとに快適感や好みや体型は異なるので、使用者が変わる毎に操作によって便座温度や洗浄水温度、洗浄水流量、ノズル位置、温風温度などの設定を変更しなければならない煩わしい操作が必要になるという課題を有していた。
【０００５】
このため、便座で体重を測定し、その測定した体重で使用者を識別し、その使用者の前回の設定値を初期値として設定変更を開始するような構成が知られている（例えば、特許文献１参照）。
【特許文献１】特開平５−１２５７５５号公報
【発明の開示】
【発明が解決しようとする課題】
【０００６】
しかしながら、前記従来の構成では、便座で体重を測定することの困難さがある。まず一般に便座に座る姿勢は、足を床に置き便座に臀部を置くものであるが、この場合、便座にかかる加重は、座る姿勢により大きく異なるものである。同じ使用者であっても前かがみになるか、背筋を伸ばすか、後ろにもたれる姿勢をとるかで、便座で測定できる体重はすべて違うことになる。
【０００７】
また、精度良く体重を測定しようとすると、使用者は便座に臀部を置くだけで、足を床から上げれば、姿勢に関わらずほぼ一定の体重を測定することができる。しかし、床から足を上げた状態で便座に座ることは極めて不自然な姿勢であり、本来の排便や排尿の目的以外に体重計測のために足を上げるという行為が必要なる。
【０００８】
いずれにしても、便座で体重を測定して個人を識別することは、測定誤差による識別間違いを発生させるか、識別正解率を向上させるために測定精度を上げるには使い勝手が悪くなるという課題がある。
【０００９】
本発明は、前記従来の課題を解決するもので、使用者はごく自然に排便、排尿の行為を行なうだけで、便座温度や洗浄水温度、洗浄水流量、ノズル位置、温風温度などの調整操作が容易に行なえ、使い勝手のよいトイレ装置を提供することを目的とする。
【課題を解決するための手段】
【００１０】
前記従来の課題を解決するために、本発明のトイレ装置は、便器に設けられた便座本体と、前記便座本体に設けられた各種機能部品を制御する便座制御手段と、使用者の衣類情報を検出し前記使用者の衣類を識別する衣類識別手段と、前記便座制御手段が出力する制御量を前記使用者が手動で調節できる操作手段と、前記衣類識別手段および前記操作手段からの出力を関連付けて記憶する衣類別操作記憶手段と、前記衣類識別手段および前記衣類別操作記憶手段に基づき前記便座制御手段が出力する制御量を調節する衣類別調節手段とを備えた構成としたものである。
【００１１】
これによって、使用者は操作手段により便座制御手段の出力を調節し、その調節量は衣類識別手段による衣類情報と関連付けられて衣類別操作記憶手段に記憶されている。次に使用するときには、衣類識別手段が使用者の衣類情報を検出し、その衣類情報に関連付けて記憶されている衣類別操作記憶手段の記憶内容に基づいて衣類別調節手段が便座制御手段の出力を調節する。
【００１２】
それにより使用者が便座制御手段の出力を調節したときと同じ衣類を着用して次に使用するときには、手動操作を何もしなくても前回調節した出力と同じ出力を再現できる。したがって使用者の操作の煩わしさを解消することができ、大幅に使い勝手を向上することができる。
【発明の効果】
【００１３】
本発明のトイレ装置は、便座温度や洗浄水温度、洗浄水流量、ノズル位置、温風温度などの調整操作について、使用者は何も手動操作をしなくても前回使用時と同じ状態を再現でき、操作の煩わしさを解消し、大幅に使い勝手を向上することができる。
【発明を実施するための最良の形態】
【００１４】
第１の発明は、便器に設けられた便座本体と、前記便座本体に設けられた各種機能部品を制御する便座制御手段と、使用者の衣類情報を検出し前記使用者の衣類を識別する衣類識別手段と、前記便座制御手段が出力する制御量を前記使用者が手動で調節できる操作手段と、前記衣類識別手段および前記操作手段からの出力を関連付けて記憶する衣類別操作記憶手段と、前記衣類識別手段および前記衣類別操作記憶手段に基づき前記便座制御手段が出力する制御量を調節する衣類別調節手段とを備えたトイレ装置とすることにより、使用者は操作手段により便座制御手段の出力を調節し、その調節量は衣類識別手段による衣類情報と関連付けられて衣類別操作記憶手段に記憶されている。
【００１５】
そして、次に使用するときには、衣類識別手段が使用者の衣類情報を検出し、その衣類情報に関連付けて記憶されている衣類別操作記憶手段の記憶内容に基づいて衣類別調節手段が便座制御手段の出力を調節する。これにより使用者が便座制御手段の出力を調節したときと同じ衣類を着用して次に使用するときには、手動操作を何もしなくても前回調節した出力と同じ出力を再現できる。したがって使用者の操作の煩わしさを解消することができ、大幅に使い勝手を向上することができる。
【００１６】
第２の発明は、特に、第１の発明において、衣類は衣類の情報を記録した非接触ＩＣタグを備え、衣類識別手段は前記非接触ＩＣタグの情報を読み取ることにより衣類を識別することにより、衣類に対して一意に決まる情報を識別することが可能となり、正確に衣類を識別できる。
【００１７】
第３の発明は、特に、第２の発明において、非接触ＩＣタグは衣類の情報として少なくとも男女の区別を記録し、衣類識別手段は衣類の男女の区別を識別することにより、初めて着用した衣類であっても、同じ性別の衣類における前回の衣類別操作記憶手段の記憶内容を採用することで、同じ使用者にあてはまる確率が高くなる。また同じ使用者でなくても性別が共通しているので調整操作結果も似ていることが多く、初めての衣類を着用した使用者であっても操作の煩わしさを解消できる。
【００１８】
第４の発明は、特に、第２の発明において、非接触ＩＣタグは衣類の情報として少なくとも大きさの情報を記録し、衣類識別手段は衣類の大きさを識別することにより、初めて着用した衣類であっても、同じ大きさの衣類における前回の衣類別操作記憶手段の記憶内容を採用することで、同じ使用者にあてはまる確率が高くなる。また同じ使用者でなくても衣類の大きさが共通しているので、体格が似ているために調整操作結果も似ていることが多く、初めての衣類を着用した使用者であっても操作の煩わしさを解消できる。
【００１９】
第５の発明は、特に、第１の発明において、衣類別操作記憶手段は便座本体の温度操作を記憶し、衣類別調節手段は便座本体の温度を調節することにより、使用者ごとに異なる好みの暖房温度に対して、使用する度に温度設定操作する必要がなく、操作の煩わしさを解消できる。
【００２０】
第６の発明は、特に、第１の発明において、衣類別操作記憶手段は洗浄水の温度操作を記憶し、衣類別調節手段は洗浄水の温度を調節することにより、使用者ごとに異なる好みの洗浄水温度に対して、使用する度に温度設定操作する必要がなく、操作の煩わしさを解消できる。
【００２１】
第７の発明は、特に、第１の発明において、衣類別操作記憶手段は洗浄水の流量操作を記憶し、衣類別調節手段は洗浄水の流量を調節することにより、使用者ごとに異なる好みの洗浄水流量に対して、使用する度に流量設定操作する必要がなく、操作の煩わしさを解消できる。
【００２２】
第８の発明は、特に、第１の発明において、衣類別操作記憶手段は洗浄位置の操作を記憶し、衣類別調節手段は洗浄位置を調節することにより、使用者ごとに異なる肛門、局部などの位置に対して、使用する度に位置調整操作する必要がなく、操作の煩わしさを解消できる。
【００２３】
第９の発明は、特に、第１の発明において、衣類別操作記憶手段は洗浄後の乾燥風の温度操作を記憶し、衣類別調節手段は乾燥風の温度を調節することにより、使用者ごとに異なる好みの温風温度に対して、使用する度に温度設定操作する必要がなく、操作の煩わしさを解消できる。
【００２４】
第１０の発明は、特に、第１の発明において、衣類別操作記憶手段は便座本体の使用位置を記憶し、衣類別調節手段は便座の位置を調節することにより、男性であれば便座本体を上げ、女性であれば便座本体を下げるので使用する度に便座本体を上げ下げする必要がなく、操作の煩わしさを解消できる。
【００２５】
以下、本発明の実施の形態について、図面を参照しながら説明する。なお、この実施の形態によって本発明が限定されるものではない。
【００２６】
（実施の形態１）
図１は、本発明の実施の形態１におけるトイレ装置を示すものである。
【００２７】
図に示すように、便器１には便座本体２が取り付けられている。この便座本体２には便座を暖房する便座暖房機能、肛門などを洗浄する洗浄機能、洗浄後に乾燥するための温風を送風する乾燥機能などの各種機能を実現するための機能部品が組み込まれている（図示せず）。そして、これら各種機能部品は便座制御手段３により制御している。便座制御手段３は、便座温度制御手段４、洗浄水温度制御手段５、洗浄水流量制御手段６、洗浄位置制御手段７、送風温度制御手段８を含むものである。
【００２８】
便座温度制御手段４は、便座本体２の温度を設定値になるように制御するものであり、例えば、温度センサからの入力に基づき便座本体２に備えたヒータ（図示せず）を制御する。
【００２９】
洗浄水温度制御手段５は、肛門などを洗浄する洗浄水の温度を設定値になるように制御するものであり、例えば、洗浄水のタンクに備えた温度センサからの入力で洗浄水のタンクに備えたヒータ（図示せず）を制御する。
【００３０】
洗浄水流量制御手段６は、洗浄水の流量を設定値になるように制御するものであり、例えば、洗浄水のタンクに設けたポンプを設定された周波数で駆動する。
【００３１】
洗浄位置制御手段７は、洗浄水の吐出する位置を制御するものであり、例えば、洗浄ノズルの位置をステッピングモータで制御するとして、ステッピングモータに設定されたパルス数を出力する。
【００３２】
送風温度制御手段８は、洗浄後の乾燥のために送る温風の温度を設定値になるように制御するものであり、例えば、送風口に備えた温度センサからの入力でヒータを制御するものである。
【００３３】
便座制御手段３が出力する制御量を使用者が手動で調節できる操作手段９は、便座制御手段３を制御して、便座温度、洗浄水温度、洗浄水流量、洗浄位置、温風温度などを自分の好みに合うよう設定できる。操作手段９の操作信号は便座制御手段３に送られ、便座制御手段３は操作手段９での設定に合わせるように、便座温度制御手段４、洗浄水温度制御手段５、洗浄水流量制御手段６、洗浄位置制御手段７、送風温度制御手段８などで各種機能部品を制御する。
【００３４】
操作手段９としてのリモコンの具体例を図２に示す。操作手段（リモコン）９には便座温度調節ボタン１０、洗浄水温度調節ボタン１１、洗浄水流量調節ボタン１２、洗浄位置調節ボタン１３、温風温度調節ボタン１４を含んでいて、それぞれは高低または前後左右、あるいは強弱を段階的に変更する設定ボタンである。また、入／切ボタン１５は洗浄の開始と停止を切替えるボタンであり、このボタン操作により便座制御手段３は洗浄水の吐出と停止を制御する。
【００３５】
次に、図１に戻り、使用者の衣類情報を検出し使用者の衣類を識別する衣類識別手段１６について説明する。
【００３６】
衣類識別手段１６は非接触ＩＣタグリーダである。そして、衣類１７には非接触ＩＣタグ１８が縫い付けられている。非接触ＩＣタグ１８は電池を内蔵しないが、衣類識別手段（非接触ＩＣタグリーダ）１６が発生させる電磁波領域内に入ると、電磁波により励起され、非接触ＩＣタグ１８に電源が供給される。衣類識別手段１６が発生する電磁波にはコマンドが含まれているので、そのコマンドを非接触ＩＣタグ１８が受け取ると、個別ＩＤを含むデータを衣類識別手段１６に返答するというものである。そして、この個別ＩＤが衣類１７を一意に決定できるものであれば、衣類識別手段１６で衣類を識別することができる。
【００３７】
図３に非接触ＩＣタグ１８の例を示す。非接触ＩＣタグ１８は、例えば、図に示すようにプラスチックなどの基材１８０にコイルパターン１８１を形成し、コイルと容量素子とにより共振回路を形成して一定周波数の電波を受信して送信することができる。図３の場合、コイルパターン１８１は導通部材１８２により基材１８０の裏面でジャンピング回路を形成してコイル接続端子１８３によりＩＣチップ１８４の裏面のバンプに接続している。ＩＣチップ１８４は容量素子を内蔵している。このような非接触ＩＣタグ１８は、基材１８０に銅箔などの金属箔を設けて、金属箔をパターンエッチングして形成することが多い。衣類識別手段１６との交信には一般には１３５ｋＨｚ、１３．５６ＭＨｚ、２．４５ＧＨｚの周波数帯を使用する。
【００３８】
衣類別操作記憶手段１９は、衣類識別手段１６で読み取った非接触ＩＣタグ１８より送信された個別ＩＤと、使用者が操作手段９を使って調節した便座温度、洗浄水温度、洗浄水流量、洗浄位置、温風温度などの出力を関連付けて記憶する。そして、衣類別調節手段２０は、前記衣類識別手段１６および前記衣類別操作記憶手段１９に基づき前記便座制御手段３が出力する制御量を調節する。すなわち、衣類識別手段１６で非接触ＩＣタグ１８の個別ＩＤを読み取った時に同じ個別ＩＤに関連付けられた便座温度、洗浄水温度、洗浄水流量、洗浄位置、温風温度があれば、その設定値を便座制御手段３に出力し、便座制御手段３はその設定値となるように便座温度、洗浄水温度、洗浄水流量、洗浄位置、温風温度を制御するものである。
【００３９】
この構成によって、使用者がこのトイレ装置を使用する際には、まず初めに自分の好みに合うように、操作手段９を用いて便座温度、洗浄水温度、洗浄水流量、洗浄位置、温風温度を設定する。そして、次に使用する際に同じ衣類１７を着用していれば、前回設定した設定値が採用されるので、煩わしい設定操作が不要になる。また、便器１を使用する家族であっても衣類は別々のものを着用するのが一般的であり、家族一人一人に別々の設定値を対応できることとなる。
【００４０】
また、一般に、衣類は下着や靴下から上着まで複数着用するものであり、それぞれに非接触ＩＣタグ１８が縫い込まれていれば、その全ての個別ＩＤを読み込むことができて、そのすべての各個別ＩＤに操作手段９での設定値を衣類別操作記憶手段１９が記憶しているので、複数の衣類のうちどれかが以前に着用したものがあればそのときの設定値を再現できることになり、以前の記憶がなく採用する設定値がないということは起こる可能性が非常に少ない。
【００４１】
一般に、衣類は紳士用、婦人用または男児用、女児用の性別の区別がある。また、Ｌサイズ、Ｍサイズ、Ｓサイズなどや、子供用であれば、例えば、１２０ｃｍ用など大きさの区別がされている。個別ＩＤの中にこの性別のコードと大きさのコードを埋め込んでいる。例えば、個別ＩＤの最上位の１桁は性別のコードで、２桁目から４桁目までの３桁を大きさのコード、そして、５桁目より下位の桁を使って衣類を一意に決定できる番号を付けている。
【００４２】
衣類別操作記憶手段１９では、衣類識別手段１６が読み取った複数の非接触ＩＣタグ１８の個別ＩＤがいずれも記憶されているものでなかった場合には、記憶されている個別ＩＤのうち性別と大きさの一致する情報を抽出し、その個別ＩＤに関連付けて記憶している各種設定値を衣類別調節手段２０に出力する。この構成で、使用者が下着から上着まですべて新品の衣類を着用したような場合でも、例えば、「女性でＭサイズ」など、過去に着用した衣類と性別と大きさが共通することが多く、その設定値を採用することで過去の設定を再現できる。
【００４３】
使用する人数が限られている家庭用途の場合などでは、性別と大きさの両方が一致しなくても、性別が一致するだけでも使用者を特定できる場合もあり、衣類識別手段１６が読み取った複数の非接触ＩＣタグ１８の個別ＩＤがいずれも記憶されているものでなく、しかも性別と大きさが一致するものがなかった場合は、性別だけが一致する情報を抽出し、その個別ＩＤに関連付けて記憶している各種設定値を衣類別調節手段２０に出力する。
【００４４】
次に、本発明のトイレ装置の動作について、図４のフローチャートを用いて説明する。  
【００４５】
図は使用者が操作手段９の入／切ボタン１５を押したところからの動作の流れである。まず、ステップＳ１において衣類識別手段１６は非接触ＩＣタグ１８から個別ＩＤを読み込み、一時的にバッファに記憶する。通常、使用者は複数の衣類を着用しているので複数の個別ＩＤを受信するものであり、受信したＩＤはすべて記憶する。
【００４６】
次に、ステップＳ２において、衣類別操作記憶手段１９は読み取った個別ＩＤが登録されているかどうかを調べ、登録されていればステップＳ５に進む。バッファに記憶したすべての受信した個別ＩＤについて登録されているかどうかを調べ、どれも登録されていなければステップＳ３に進む。
【００４７】
ステップＳ３では衣類別操作記憶手段１９は読み取った個別ＩＤと性別、大きさのコードが一致する個別ＩＤが登録されているかどうかを調べ、登録されていればステップＳ５に進み、バッファに記憶されたすべての個別ＩＤについて性別、大きさのコードが一致する個別ＩＤがなければステップＳ４に進む。
【００４８】
ステップＳ４では衣類別操作記憶手段１９は読み取った個別ＩＤと性別のコードが一致する個別ＩＤが登録されているかどうかを調べ、登録されていればステップＳ５に進み、バッファに記憶されたすべての個別ＩＤについて性別のコードが一致する個別ＩＤがなければステップＳ６に進む。
【００４９】
ステップＳ５では衣類別操作記憶手段１９は該当する登録された個別ＩＤに関連付けて記憶されている便座温度、洗浄水温度、洗浄水流量、洗浄位置、温風温度の調節値を抽出しステップＳ７に進む。ここで該当する個別ＩＤとは、ステップＳ２から進んできた場合には衣類識別手段１６で読み取った個別ＩＤ、ステップＳ３から進んできた場合には衣類識別手段１６で読み取った個別ＩＤと性別、大きさについて一致する登録されている個別ＩＤ、ステップＳ４から進んできた場合には衣類識別手段１６で読み取った個別ＩＤと性別のみが一致する登録されている個別ＩＤのことである。
【００５０】
一方、衣類識別手段１６で読み取った個別ＩＤがすべて、登録されている個別ＩＤと性別さえも一致しなかった場合には、ステップＳ６で予め定めた初期値を調節値としてステップＳ７に進む。初期値は複数人の好みの平均値をとるなど、標準的な調節値であり、製造段階から予め衣類別操作記憶手段１９に組み込まれている。
【００５１】
次に、ステップＳ７において、衣類別調節手段２０は衣類別操作記憶手段１９から入力する調節値に従い、便座制御手段３を調節し、便座制御手段３は各機能部品を制御する。これで使用者は入／切ボタン１５を押してから最初の状態として、前回このトイレ装置を使用したときの各設定が再現された状態になる。そして、次にステップＳ８に進む。
【００５２】
ステップＳ８では更に使用者の操作があるかどうかを調べる。操作があればステップＳ９に進む一方、操作がなければステップＳ１０に進む。ステップＳ９では使用者の操作に合わせて調節値を更新してステップＳ７に戻り、便座制御手段３を調節して便座制御手段３が各機能部品を制御する。使用者からの操作があればこの処理を繰り返すことになる。
【００５３】
ステップＳ１０では使用者の「切」操作があるか、すなわち、再度、入／切ボタン１５が押されたかどうかを調べる。操作があればステップＳ１１に進む一方、なければステップＳ８に戻り使用者の調節操作があるかどうかを調べるものである。そして、ステップＳ１１では、最後の調節値をバッファに記憶しているすべての個別ＩＤに関連付けて衣類別操作記憶手段１９に登録する。この登録処理を行うことで、次に同じ衣類を着用してこのトイレ装置を使用する際には最後の調節した状態を再現できることになる。
【００５４】
本実施の形態において、図４のフローチャートでは、使用者が入／切ボタン１５を操作してから非接触ＩＣタグ１８の発信を読み取る動作として説明したが、衣類識別手段１６が常に電磁波を発生させておけば、非接触ＩＣタグ１８が縫い込まれた衣類１７が近付くと個別ＩＤが受信できるので、それを起点として動作を開始しても良い。この場合には常に電磁波を発生させておく電力消費が必要となるものの、使用者の入／切ボタン１５の操作も省略でき使い勝手が向上する。
【００５５】
また、本実施の形態において、非接触ＩＣタグ１８より読み取る個別ＩＤに関連付けて記憶する設定値を便座温度、洗浄水温度、洗浄水流量、洗浄位置、温風温度としたが、これに限定するものではなく、例えば、洗浄水の流量に強弱の揺らぎを与えるかどうか、その揺らぎ幅や、洗浄位置をピンポイントの点にするか一定の領域に広げるか、その領域の大きさ、送風量やその揺らぎ、便座に振動を与えるなど、いろいろな便座機能の拡張が考えられる。それら個人の好みにより設定が異なるような機能については、同様に展開できるものである。
【００５６】
たとえば、図示しないが、衣類別操作記憶手段は便座本体の使用位置を記憶し、衣類別調節手段は便座の位置を調節することにより、男性であれば便座本体を上げ、女性であれば便座本体を下げるので使用する度に便座本体を上げ下げする必要がなく、操作の煩わしさを解消できる。もちろん便座本体を下げて便座に座って小便する男性にも適用できる。
【産業上の利用可能性】
【００５７】
以上のように、本発明にかかるトイレ装置は、使用者が好みに合わせて個別に設定できる各種機能の調節値を使用者が着用していた衣類と関連付けて記憶しているので、同じ衣類を着用した使用者が使用する際には以前に設定した各種機能の調節値を再現できるので、使用するごとに調節する手間は不要となり、便座の暖房機能、肛門や局部の洗浄機能、洗浄後の乾燥機能に適用できるほか、揺らぎや振動などの機能拡張にも適用できる。
【００５８】
また、衣類のほかに、ベルトやメガネ、指輪、腕時計、携帯電話、財布など日常携帯する物品に非接触ＩＣタグを備えればさらに効果は高い。
【図面の簡単な説明】
【００５９】
【図１】本発明の実施の形態１におけるトイレ装置の構成を説明する説明図
【図２】同トイレ装置における操作手段の説明図
【図３】同トイレ装置における非接触ＩＣタグの説明図
【図４】同トイレ装置の動作の流れを説明するフローチャート
【符号の説明】
【００６０】
２  便座本体
３  便座制御手段
９  操作手段
１６  衣類識別手段
１８  非接触ＩＣタグ
１９  衣類別操作記憶手段
２０  衣類別調節手段
【図１】
2006132126.tif 000003
【図２】
2006132126.tif 000004
【図３】
2006132126.tif 000005
【図４】
2006132126.tif 000006